(57)【特許請求の範囲】
【請求項１】
ニードル（２）が摺動自在に貫通配置されるニードル嵌挿孔（１６）と該ニードル嵌挿孔（１６）の一端側に臨んで設けられ上記ニードル（２）によって流路面積が調整される冷媒流路（９）とを備えた弁本体（１）と、上記弁本体（１）に対して上記ニードル嵌挿孔（１６）の他端側をその内部空間（３０）内に内包せしめた状態で取り付けられるとともに該内部空間（３０）内には上記ニードル（２）を駆動する電動手段（Ｘ）の少なくとも一部が内装されたケース（３）とを備えた冷凍回路用電動ニードル弁であって、
上記弁本体（１）に、上記ニードル嵌挿孔（１６）とこれに嵌挿された上記ニードル（２）との間に形成されるニードル嵌挿隙間（１７）を通って上記冷媒流路（９）側から上記内部空間（３０）側へ流入する冷媒の流量を低下させる冷媒流量低下手段（Ｐ）が設けられるとともに、
上記冷媒流量低下手段（Ｐ）が、上記冷媒流路（９）と上記内部空間（３０）とを上記ニードル嵌挿孔（１６）を介することなく連通させる冷媒流路（４１）であって上記ニードル嵌挿孔（１６）の軸心を通る面上の該軸心を挟んだ両側にそれぞれ独立して設けられた少なくとも一対の冷媒流路（４１）で構成されていることを特徴とする冷凍回路用電動ニードル弁。
【請求項２】
ニードル（２）が摺動自在に貫通配置されるニードル嵌挿孔（１６）と該ニードル嵌挿孔（１６）の一端側に臨んで設けられ上記ニードル（２）によって流路面積が調整される冷媒流路（９）とを備えた弁本体（１）と、上記弁本体（１）に対して上記ニードル嵌挿孔（１６）の他端側をその内部空間（３０）内に内包せしめた状態で取り付けられるとともに該内部空間（３０）内には上記ニードル（２）を駆動する電動手段（Ｘ）の少なくとも一部が内装されたケース（３）とを備えた冷凍回路用電動ニードル弁であって、
上記弁本体（１）に、上記ニードル嵌挿孔（１６）とこれに嵌挿された上記ニードル（２）との間に形成されるニードル嵌挿隙間（１７）を通って上記冷媒流路（９）側から上記内部空間（３０）側へ流入する冷媒の流量を低下させる冷媒流量低下手段（Ｐ）が設けられるとともに、
上記ニードル嵌挿孔（１６）が上記冷媒流路（９）寄りに位置する大径孔部（１６Ａ）と上記電動手段（Ｘ）寄りに位置して上記ニードル（２）を摺動自在に支持する小径孔部（１６Ｂ）とを備えるとともに、上記大径孔部（１６Ａ）には上記小径孔部（１６Ｂ）を介することなく上記内部空間（３０）に連通する均圧孔（１８）が形成され、
上記大径孔部（１６Ａ）と上記均圧孔（１８）とによって上記冷媒流量低下手段（Ｐ）が構成されていることを特徴とする冷凍回路用電動ニードル弁。
【請求項３】
請求項２において、
上記大径孔部（１６Ａ）には、上記ニードル（２）を摺動自在に支持するとともに該大径孔部（１６Ａ）の軸方向への冷媒の流通を許容し得る如く構成されたニードルガイド部材（４２）が配置されていることを特徴とする冷凍回路用電動ニードル弁。
【請求項４】
ニードル（２）が摺動自在に貫通配置されるニードル嵌挿孔（１６）と該ニードル嵌挿孔（１６）の一端側に臨んで設けられ上記ニードル（２）によって流路面積が調整される冷媒流路（９）とを備えた弁本体（１）と、上記弁本体（１）に対して上記ニードル嵌挿孔（１６）の他端側をその内部空間（３０）内に内包せしめた状態で取り付けられるとともに該内部空間（３０）内には上記ニードル（２）を駆動する電動手段（Ｘ）の少なくとも一部が内装されたケース（３）とを備えた冷凍回路用電動ニードル弁であって、
上記弁本体（１）に、上記ニードル嵌挿孔（１６）とこれに嵌挿された上記ニードル（２）との間に形成されるニードル嵌挿隙間（１７）を通って上記冷媒流路（９）側から上記内部空間（３０）側へ流入する冷媒の流量を低下させる冷媒流量低下手段（Ｐ）が設けられるとともに、
上記ニードル嵌挿孔（１６）が、上記冷媒流路（９）寄りに位置する第１小径孔部（１６Ｃ）と上記電動手段（Ｘ）寄りに位置する第２小径孔部（１６Ｅ）と該第１小径孔部（１６Ｃ）と第２小径孔部（１６Ｅ）の中間に位置し該第１小径孔部（１６Ｃ）よりも大径で且つその軸方向長さが該第１小径孔部（１６Ｃ）のそれよりも長く設定された大径孔部（１６Ｄ）とを備え、上記ニードル（２）を上記第２小径孔部（１６Ｅ）で又は上記第１小径孔部（１６Ｃ）と第２小径孔部（１６Ｅ）の双方で摺動自在に支持する構成とされる一方、上記大径孔部（１６Ｄ）には上記第２小径孔部（１６Ｅ）を介することなく上記内部空間（３０）に連通する均圧孔（１８）が形成され、
上記大径孔部（１６Ｄ）と上記均圧孔（１８）とによって上記冷媒流量低下手段（Ｐ）が構成されていることを特徴とする冷凍回路用電動ニードル弁。
【請求項５】
請求項２，３又は４において、
上記弁本体（１）が、上記冷媒流路（９）を備えた基部（１Ａ）と該基部（１Ａ）とは別体の副部（１Ｂ）とで構成され、
上記大径孔部（１６Ａ）又は上記第１小径孔部（１６Ｃ）と大径孔部（１６Ｄ）は上記基部（１Ａ）に、上記小径孔部（１６Ｂ）又は上記第２小径孔部（１６Ｅ）は上記副部（１Ｂ）にそれぞれ設けられていることを特徴とする冷凍回路用電動ニードル弁。
【請求項６】
請求項２，３又は４において、
上記均圧孔（１８）が、丸孔で構成され且つその内径が１．２ｍｍ以上とされていることを特徴とする冷凍回路用電動ニードル弁。
【請求項７】
請求項６において、
上記均圧孔（１８）が、上記ニードル嵌挿孔（１６）の周囲に複数個設けられていることを特徴とする冷凍回路用電動ニードル弁。
【請求項８】
請求項１，２，３，４，５，６又は７において、
上記ニードル嵌挿隙間（１７）の隙間間隔が０．２ｍｍ以上に設定されていることを特徴とする冷凍回路用電動ニードル弁。
【請求項９】
請求項１ないし請求項８のいずれかに記載の冷凍回路用ニードル弁を膨張弁として適用して構成されたことを特徴とする冷凍装置。
【発明の詳細な説明】
【０００１】
【発明の属する技術分野】
【０００２】
本願発明は、冷凍回路において冷媒の流量制御に用いられる電動ニードル弁、及びこの電動ニードル弁を備えた冷凍装置に関するものである。
【従来の技術】
【０００３】
図８には、冷凍回路において冷媒の流量制御に使用されている電動膨張弁Ｚ０の構造を示している。尚、後述する本願発明の説明の便宜上、この従来一般的な電動膨張弁Ｚ０の構造を具体的に説明しておく。
【０００４】
図８において、符号１は弁本体、２はニードル、３はケースである。上記弁本体１は、その軸方向の一端側に位置する大径の流路形成部１ａと他端側に位置する小径のネジ形成部１ｃとこれら両者の中間に位置する中径の肩部１ｂとをもつ異径体で構成され、上記肩部１ｂとネジ形成部１ｃとを上記ケース３の一方の端面に形成した開口３３を通してその内部空間３０内に挿入させた状態で該ケース３と一体化されている。
【０００５】
そして、上記弁本体１の上記流路形成部１ａには、略直交する冷媒導入部１１と冷媒導出部１２とからなり且つ該冷媒導入部１１の口縁部に弁座部１５を形成した冷媒流路９が設けられている。尚、この冷媒導入部１１には冷媒導入管１３が、冷媒導出部１２には冷媒導出管１４がそれぞれ接続されている。
【０００６】
また、上記弁本体１の上記流路形成部１ａの冷媒流路９部分から上記ネジ形成部１ｃの端部に至る部分には、所定径のニードル嵌挿孔１６が貫設され、該ニードル嵌挿孔１６の一端は上記冷媒流路９に開口し、他端は上記ネジ形成部１ｃの端面上に開口している。
【０００７】
上記ニードル嵌挿孔１６には、その一端を弁頭部２０としたニードル２が摺動自在に嵌挿配置されており、該ニードル２がその軸方向に移動して上記弁頭部２０と弁座部１５との間の通路面積を増減設定することで上記冷媒導入管１３から冷媒導出管１４側に流れる冷媒の流量制御が行われるとともに、上記弁頭部２０が上記弁座部１５に着座することで全閉とされ冷媒の流通が阻止される。
【０００８】
尚、上記ニードル２は、上記弁頭部２０側に位置する大径の摺動軸部２ａと小径の支持軸部２ｂとをもつ段付き軸体で構成され、上記ニードル嵌挿孔１６によって上記摺動軸部２ａが摺動自在に支持されその軸心位置の保持が行われる。この場合、上記ニードル嵌挿孔１６の内周面と上記ニードル２の摺動軸部２ａとの間には微小なニードル嵌挿隙間１７が形成されるとともに、上記支持軸部２ｂとの間には上記ニードル嵌挿隙間１７よりも隙間寸法の大きい内周隙間２２が形成される。
【０００９】
一方、上記弁本体１の肩部１ｂには、その軸心部を通る上記ニードル嵌挿孔１６（即ち、上記ニードル嵌挿隙間１７）と上記ケース３の内部空間３０の下端部（即ち、後述する第１空間部３１）とを連通させる所定径の均圧孔１８が形成されている。
【００１０】
さらに、上記弁本体１の上記ネジ形成部１ｃの外周面にはオネジが刻設されている。そして、このネジ形成部１ｃの径方向外側には、上記ニードル２を軸方向に駆動させる電動手段Ｘの一部を構成するロータ部１０が配置されている。尚、上記電動手段Ｘは、所謂「ステッピングモータ」で構成されるものであって、上記ロータ部１０と上記ケース３の外周側に配置された電磁石５とを備える。
【００１１】
上記ロータ部１０は、有底筒状形態を有し且つその周壁部７ａの内周面に上記弁本体１のネジ形成部１ｃに設けたオネジに噛合するメネジを刻設したネジ形成部材７と、両鍔付き筒状形態を有し且つその外周側には永久磁石４を保持するとともにその内周側には上記ネジ形成部材７の周壁部７ａが無理嵌め嵌着されたスペーサ６とを備えて構成される。
【００１２】
そして、このロータ部１０は、上記弁本体１のネジ形成部１ｃに対してその上方側（端部側）から上記ネジ形成部材７を螺入させることで該弁本体１側に取り付けられている。従って、上記ロータ部１０は、上記電磁石５の通電量（パルス値）に対応してこれが一体的に回転することで、上記弁本体１のネジ形成部１ｃに対してその軸方向へ相対移動することになる。
【００１３】
このロータ部１０の軸方向移動を利用して上記ニードル２をその開閉方向（即ち、軸方向）へ駆動させるべく、該ロータ部１０に対して上記ニードル２が連結されている。即ち、上記ニードル２は、その他端側を上記端面部７ｂを貫通してその上方へ突出させ且つその突出端に止着部材３４を設けることで下方への抜け止めが行われるとともに、上記ネジ形成部材７の端面部７ｂの下面と上記ニードル２の摺動軸部２ａと支持軸部２ｂの段差部との間に縮装配置したバネ３５によって上記止着部材３４を上記ネジ形成部材７の端面部７ｂに当接させる方向に常時付勢されている。
【００１４】
従って、上記ニードル２は、上記弁頭部２０が上記弁座部１５に着座するまでの範囲においては上記ロータ部１０の軸方向移動と一体的に移動して流路面積の増減を行うことになるが、上記弁頭部２０が上記弁座部１５に着座した後（即ち、上記ニードル２のそれ以上の下動が規制された状態）においては、上記ロータ部１０は上記バネ３５を縮小させながらさらに所定寸法だけ下動し、バネ３５の付勢力によって上記ニードル２の閉弁状態を保持する。従って、この場合には、上記止着部材３４と上記ネジ形成部材７の端面部７ｂとの間には所定の隙間が生じることになる（図９、図１０を参照）。
【００１５】
また、上記ロータ部１０は、上記永久磁石４と上記電磁石５との間における磁力効果を適正に保持すべく、該永久磁石４とその外側に位置するケース３の内周面との間隔を微小（例えば、0.2mm程度）に設定しており、従って上記ケース３の内部空間３０は、上記ロータ部１０によってその下側に位置する第１空間部３１と上側に位置する第２空間部３２とに区画されるとともに、これら両空間部３１，３２は、上記永久磁石４の外周面と上記ケース３の内周面との間に形成される外周隙間２１を介して連通される。
【００１６】
以上が、従来一般的な電動膨張弁Ｚ０の構造である。
【００１７】
この電動膨張弁Ｚ０においては、圧縮機の駆動によって電動膨張弁Ｚ０の上流側の冷媒圧力が上昇すると、この冷媒圧力の上昇を受けて、該電動膨張弁Ｚ０の内部において差圧が生じ、冷媒の一部が上記冷媒流路９から上記ニードル嵌挿隙間１７を通って上記ケース３の内部空間３０側に流れ込む。即ち、上記ニードル嵌挿隙間１７に流入する冷媒は、その一部は該ニードル嵌挿隙間１７に連通する上記均圧孔１８を通って上記第１空間部３１に直接流入する。また、他の一部は、上記ニードル嵌挿隙間１７を上昇し、該ニードル嵌挿隙間１７からさらに上記ニードル２の他端寄り部分と上記弁本体１のニードル嵌挿孔１６との間に形成される内周隙間２２を通って上昇した後反転し、上記弁本体１のネジ形成部１ｃとこれに螺合された上記ネジ形成部材７との間の噛合部隙間２３を通って流下し上記第１空間部３１に至る。この二つの経路から上記第１空間部３１に流入し且つ合流した冷媒は、さらに上記外周隙間２１を通って上昇し、上記第２空間部３２に流入することになる。
【００１８】
このように、上記ケース３の第１空間部３１と第２空間部３２に冷媒が流入することで上記ロータ部１０の軸方向両側における差圧状態が解消され、該ロータ部１０の円滑な移動が確保される。そして、この状態で、上記ニードル２が上記ロータ部１０の移動に連動して一体的に移動することで冷媒流量が制御される。
【００１９】
一方、圧縮機が停止して電動膨張弁Ｚ０の上流側の冷媒圧力が低下してくると、上記ケース３側の降圧の冷媒が上記場合とは逆の経路を辿って上記冷媒流路９側に還流される。
【発明が解決しようとする課題】
【００２０】
ところで、冷凍装置に使用される圧縮機の摺動部においては、厳しい運転条件下では金属接触によって高温となることから、冷凍機油とか回路中に残存した加工油が劣化して高粘度のスラッジが発生する。しかも、このスラッジは冷媒に溶けない、あるいは溶けにくい性状をもつことから、冷媒と溶け合わずに冷媒と分離したスラッジは冷媒とともに冷凍回路中を循環することになる。
【００２１】
この場合、電動膨張弁Ｚ０においては、上述のように圧縮機の運転開始及び運転停止に伴って、冷媒が冷媒流路９とケース３の内部空間３０との間を流れ、しかもこの冷媒は狭隘な上記ニードル嵌挿隙間１７と噛合部隙間２３及び外周隙間２１を通って流れることから、これら各隙間１７，２３，２１にスラッジが付着し易い。そして、これら各隙間１７，２３，２１のうち、上記ニードル嵌挿隙間１７にスラッジが付着しこれが溜まると、該スラッジが高粘度であることから、上記ニードル２の移動、即ち、冷媒の流量制御作用が阻害され、また、上記噛合部隙間２３及び外周隙間２１にスラッジが付着しこれが溜まると、上記ロータ部１０の作動が阻害されるものであり、これら何れの場合においても、圧縮機での異常な液圧縮とか過熱を招来することになるため好ましくない。
【００２２】
そこで、本願発明では、スラッジの付着を可及的に防止し得るようにした冷凍回路用電動ニードル弁及びこれを備えた冷凍装置を提案することを目的としてなされたものである。
【課題を解決するための手段】
【００２３】
本願発明ではかかる課題を解決するための具体的手段として次のような構成を採用している。
【００２４】
本願の第１の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記冷媒流量低下手段Ｐを、上記冷媒流路９と上記内部空間３０とを上記ニードル嵌挿孔１６を介することなく連通させる冷媒流路４１であって上記ニードル嵌挿孔１６の軸心を通る面上の該軸心を挟んだ両側にそれぞれ独立して設けられた少なくとも一対の冷媒流路４１で構成したことを特徴としている。
【００２５】
本願の第２の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記ニードル嵌挿孔１６を上記冷媒流路９寄りに位置する大径孔部１６Ａと上記電動手段Ｘ寄りに位置して上記ニードル２を摺動自在に支持する小径孔部１６Ｂとで構成するとともに、上記大径孔部１６Ａには上記小径孔部１６Ｂを介することなく上記内部空間３０に連通する均圧孔１８を形成し、上記大径孔部１６Ａと上記均圧孔１８とによって上記冷媒流量低下手段Ｐを構成したことを特徴としている。
【００２６】
本願の第３の発明では、上記第２の発明に係る冷凍回路用電動ニードル弁において、上記大径孔部１６Ａに、上記ニードル２を摺動自在に支持するとともに該大径孔部１６Ａの軸方向への冷媒の流通を許容し得る如く構成されたニードルガイド部材４２を配置したことを特徴としている。
【００２７】
本願の第４の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記ニードル嵌挿孔１６を、上記冷媒流路９寄りに位置する第１小径孔部１６Ｃと上記電動手段Ｘ寄りに位置する第２小径孔部１６Ｅと該第１小径孔部１６Ｃと第２小径孔部１６Ｅの中間に位置し該第１小径孔部１６Ｃよりも大径で且つその軸方向長さが該第１小径孔部１６Ｃのそれよりも長く設定された大径孔部１６Ｄとで構成し、上記ニードル２を上記第２小径孔部１６Ｅで、又は上記第１小径孔部１６Ｃと第２小径孔部１６Ｅの双方で摺動自在に支持する構成とする一方、上記大径孔部１６Ｄに上記第２小径孔部１６Ｅを介することなく上記内部空間３０に連通する均圧孔１８を形成し、上記大径孔部１６Ｄと上記均圧孔１８とによって上記冷媒流量低下手段Ｐを構成したことを特徴としている。
【００２８】
本願の第５の発明では、上記第２、第３又は第４の発明に係る冷凍回路用電動ニードル弁において、上記弁本体１を、上記冷媒流路９を備えた基部１Ａと該基部１Ａとは別体の副部１Ｂとで構成し、上記大径孔部１６Ａ又は上記第１小径孔部１６Ｃと大径孔部１６Ｄを上記基部１Ａに、上記小径孔部１６Ｂ又は上記第２小径孔部１６Ｅを上記副部１Ｂにそれぞれ設けたことを特徴としている。
【００２９】
本願の第６の発明では、上記第２、第３又は第４の発明に係る冷凍回路用電動ニードル弁において、上記均圧孔１８を、丸孔で構成し且つその内径を１．２ｍｍ以上としたことを特徴としている。
【００３０】
本願の第７の発明では、上記第６の発明に係る冷凍回路用電動ニードル弁において、上記均圧孔１８を、上記ニードル嵌挿孔１６の周囲に複数個設けたことを特徴としている。
【００３１】
本願の第８の発明では、上記第１、第２、第３、第４、第５、第６又は第７の発明に係る冷凍回路用電動ニードル弁において、上記ニードル嵌挿隙間１７の隙間間隔を０．２ｍｍ以上に設定したことを特徴としている。
【００３２】
本願の第９の発明に係る冷凍装置では、上記第１ないし第８のいずれか一つに記載の冷凍回路用ニードル弁を膨張弁として適用して構成されたことを特徴としている。
【発明の効果】
【００３３】
本願発明ではかかる構成とすることにより次のような効果が得られる。
【００３４】
（ア）本願の第１の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記冷媒流量低下手段Ｐを、上記冷媒流路９と上記内部空間３０とを上記ニードル嵌挿孔１６を介することなく連通させる冷媒流路４１であって上記ニードル嵌挿孔１６の軸心を通る面上の該軸心を挟んだ両側にそれぞれ独立して設けられた少なくとも一対の冷媒流路４１で構成している。
【００３５】
従って、この発明では、電動ニードル弁の上流側の冷媒圧力の上昇又は降下に伴って上記ニードル嵌挿隙間１７を通って冷媒が流れる場合、上記冷媒流量低下手段Ｐによって上記ニードル嵌挿隙間１７における冷媒流量が低下されている分だけ、該冷媒に混入しているスラッジのニードル嵌挿隙間１７の壁面への付着量が減少し、スラッジの付着に起因する上記ニードル２の作動不良が可及的に防止され、該ニードル２の適正な作動の確保によって冷凍回路の圧縮機における異常な液圧縮あるいは過熱が未然に防止されその信頼性が向上することになる。
【００３６】
さらに、上記冷媒流量低下手段Ｐを、上記冷媒流路９と上記内部空間３０とを上記ニードル嵌挿孔１６を介することなく連通させる複数個の冷媒流路４１で構成しているので、冷媒は通路抵抗の少ない上記冷媒流路４１側を主として流れ、上記ニードル嵌挿隙間１７側の冷媒流量が相対的に減少し、それだけ該ニードル嵌挿隙間１７の壁面へのスラッジの付着が抑制されるものである。
【００３７】
（イ）本願の第２の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記ニードル嵌挿孔１６を上記冷媒流路９寄りに位置する大径孔部１６Ａと上記電動手段Ｘ寄りに位置して上記ニードル２を摺動自在に支持する小径孔部１６Ｂとで構成するとともに、上記大径孔部１６Ａには上記小径孔部１６Ｂを介することなく上記内部空間３０に連通する均圧孔１８を形成し、上記大径孔部１６Ａと上記均圧孔１８とによって上記冷媒流量低下手段Ｐを構成している。
【００３８】
従って、この発明では、電動ニードル弁の上流側の冷媒圧力の上昇又は降下に伴って上記ニードル嵌挿隙間１７を通って冷媒が流れる場合、上記冷媒流量低下手段Ｐによって上記ニードル嵌挿隙間１７における冷媒流量が低下されている分だけ、該冷媒に混入しているスラッジのニードル嵌挿隙間１７の壁面への付着量が減少し、スラッジの付着に起因する上記ニードル２の作動不良が可及的に防止され、該ニードル２の適正な作動の確保によって冷凍回路の圧縮機における異常な液圧縮あるいは過熱が未然に防止されその信頼性が向上することになる。
【００３９】
さらに、上記ニードル嵌挿孔１６の内周面と上記ニードル２の外周面との間に形成される上記ニードル嵌挿隙間１７のうち、上記冷媒流路９寄りに位置する上記大径孔部１６Ａに対応する部分では、上記小径孔部１６Ｂに対応する部分よりもその通路面積が大きくその通路抵抗が小さくなっているのに加えて、この大径孔部１６Ａに上記均圧孔１８が形成されていることから、上記冷媒流路９側からの冷媒は、主として、上記大径孔部１６Ａに対応する部分から上記均圧孔１８を介して上記内部空間３０側に流れ、それだけ上記小径孔部１６Ｂ側を流れる冷媒の流量が相対的に減少することになる。この結果、上記ニードル嵌挿隙間１７のうち、上記小径孔部１６Ｂに対応する部分が狭隘な隙間であるにも拘わらず、この部位へのスラッジの付着が可及的に抑制されることになる。即ち、上記（ア）に記載の効果が、上記大径孔部１６Ａと均圧孔１８を形成するという簡単且つ安価な構成によって確実に達成できるものである。
【００４０】
（ウ）本願の第３の発明にかかる冷凍回路用電動ニードル弁によれば、上記第２の発明にかかる冷凍回路用電動ニードル弁において、上記大径孔部１６Ａに、上記ニードル２を摺動自在に支持するとともに上記冷媒流路９から上記均圧孔１８側への冷媒の流通を許容する構造をもつニードルガイド部材４２を配置しているので、上記ニードル嵌挿隙間１７における冷媒の流通を確保しつつ、上記ニードルガイド部材４２によって上記ニードル２の軸心をより確実に保持することができ、上記（イ）に記載の効果がさらに促進されることになる。
【００４１】
（エ）本願の第４の発明にかかる冷凍回路用電動ニードル弁では、ニードル２が摺動自在に貫通配置されるニードル嵌挿孔１６と該ニードル嵌挿孔１６の一端側に臨んで設けられ上記ニードル２によって流路面積が調整される冷媒流路９とを備えた弁本体１と、上記弁本体１に対して上記ニードル嵌挿孔１６の他端側をその内部空間３０内に内包せしめた状態で取り付けられるとともに該内部空間３０内には上記ニードル２を駆動する電動手段Ｘの少なくとも一部が内装されたケース３とを備えた冷凍回路用電動ニードル弁において、上記弁本体１に、上記ニードル嵌挿孔１６とこれに嵌挿された上記ニードル２との間に形成されるニードル嵌挿隙間１７を通って上記冷媒流路９側から上記内部空間３０側へ流入する冷媒の流量を低下させる冷媒流量低下手段Ｐを設けるとともに、上記ニードル嵌挿孔１６を、上記冷媒流路９寄りに位置する第１小径孔部１６Ｃと上記電動手段Ｘ寄りに位置する第２小径孔部１６Ｅと該第１小径孔部１６Ｃと第２小径孔部１６Ｅの中間に位置し該第１小径孔部１６Ｃよりも大径で且つその軸方向長さが該第１小径孔部１６Ｃのそれよりも長く設定された大径孔部１６Ｄとで構成し、上記ニードル２を上記第２小径孔部１６Ｅで、又は上記第１小径孔部１６Ｃと第２小径孔部１６Ｅの双方で摺動自在に支持する構成とする一方、上記大径孔部１６Ｄに上記第２小径孔部１６Ｅを介することなく上記内部空間３０に連通する均圧孔１８を形成し、上記大径孔部１６Ｄと上記均圧孔１８とによって上記冷媒流量低下手段Ｐを構成している。
【００４２】
従って、本発明の冷凍回路用電動ニードル弁によれば、上記ニードル嵌挿孔１６の内周面と上記ニードル２の外周面との間に形成される上記ニードル嵌挿隙間１７のうち、上記冷媒流路９寄りに位置する上記大径孔部１６Ａに対応する部分では、上記第１及び第２小径孔部１６Ｃ，１６Ｅに対応する部分よりもその通路面積が大きくその通路抵抗が小さくなっているとともにここに上記均圧孔１８が形成されていることから、上記冷媒流路９側から上記第１小径孔部１６Ｃを通って大径孔部１６Ｄ側に流れる冷媒は、主として上記大径孔部１６Ｄ側から上記均圧孔１８を介して上記内部空間３０側に流れ、相対的に上記第２小径孔部１６Ｅ側を流れる冷媒の流量は減少し該第２小径孔部１６Ｅ側へのスラッジの付着が可及的に抑制される。また、上記第１の小径孔部１６Ｃ部分は冷媒が流れるものの、その長さが上記大径孔部１６Ｄのそれに比して短いことからこの部分へのスラッジの付着量は少なく維持される。
【００４３】
これらの相乗的効果として、付着スラッジによる上記ニードル２の作動阻害が可及的に防止され、該ニードル２の適正な作動が確保されることで、上記（ア）に記載の効果が確実に達成されることになる。
【００４４】
（オ）本願の第５の発明にかかる冷凍回路用電動ニードル弁によれば、上記第２、第３又は第４の発明にかかる冷凍回路用電動ニードル弁において、上記弁本体１を、上記冷媒流路９を備えた基部１Ａと該基部１Ａとは別体の副部１Ｂとで構成し、上記大径孔部１６Ａ又は上記第１小径孔部１６Ｃと大径孔部１６Ｄを上記基部１Ａに、上記小径孔部１６Ｂ又は上記第２小径孔部１６Ｅを上記副部１Ｂにそれぞれ設けているので、上記（イ）、（ウ）又は（エ）に記載の効果が得られるのに加えて、例えば該弁本体１を一体構成とする場合に比して、上記各孔部の加工が容易であり、それだけ電動ニードル弁の製造コストの低廉化が期待できることになる。
【００４５】
（カ）本願の第６の発明にかかる冷凍回路用電動ニードル弁によれば、上記第２、第３又は第４の発明に係る冷凍回路用電動ニードル弁において、上記均圧孔１８を、丸孔で構成し且つその内径を１．２ｍｍ以上としているので、該均圧孔１８がスラッジの付着によって詰まりを生じることがほぼ確実に防止され、該均圧孔１８による均圧作用が良好に維持される。
【００４６】
（キ）本願の第７の発明にかかる冷凍回路用電動ニードル弁によれば、上記第６の発明に係る冷凍回路用電動ニードル弁において、上記均圧孔１８を、上記ニードル嵌挿孔１６の周囲に複数個設けているので、電動ニードル弁側における均圧作用がより一層促進され、該電動ニードル弁の適正な作動への移行がより迅速となる。
【００４７】
（ク）本願の第８の発明にかかる冷凍回路用電動ニードル弁によれば、上記第１、第２、第３、第４、第５、第６又は第７の発明に係る冷凍回路用電動ニードル弁において、上記ニードル嵌挿隙間１７の隙間間隔を０．２ｍｍ以上に設定しているので、上記ニードル嵌挿孔１６による上記ニードル２の軸心保持作用を維持しつつ、該ニードル嵌挿隙間１７の壁面へのスラッジの付着を効果的に抑制することができ、これら両者の相乗効果によって、上記ニードル２の適正な作動状態が長期に亙って維持されるものである。
【００４８】
（ケ）本願の第９の発明に係る冷凍装置によれば、上記第１の発明ないし第８の発明のいずれか一つに記載の冷凍回路用ニードル弁を膨張弁として適用しているので、該電動ニードル弁がスラッジの付着による作動不良が生じにくい構成であることから、上記膨張弁はこれが比較的スラッジが発生し易い運転条件下において使用される場合でも、スラッジの付着による作動不良を生じることなく適正な作動を維持することとなり、それだけ冷凍装置の運転上の信頼性が向上することになる。
【発明の実施の形態】
【００４９】
以下、本願発明を好適な実施形態に基づいて具体的に説明する。
【００５０】
尚、以下に述べる各実施形態の電動膨張弁Ｚ１〜Ｚ１２は、上述の図８に示した従来の電動膨張弁Ｚ０とその基本構造を同じくするものであり、従って、以下の各実施形態の電動膨張弁Ｚ１〜Ｚ１２についてその構成部材のうち、図８に示した電動膨張弁Ｚ０の各構成部材に対応する部材には図８に付した符号と同一の符号を付することでその説明を省略し、各実施形態に特有の構成部分のみを詳述することとする。
【００５１】
第１の実施形態
図１には、第１の実施形態にかかる電動膨張弁Ｚ１を示しており、同図において符号１は弁本体、２はニードル、３はケース、４は永久磁石、５は電磁石、６はスペーサ、７はネジ形成部材、１０は上記永久磁石４とスペーサ６とネジ形成部材７とで構成されるロータ部であり、該ロータ部１０と上記電磁石５とで電動手段Ｘが構成されている。
【００５２】
この実施形態の電動膨張弁Ｚ１は、上記弁本体１に設けたニードル嵌挿孔１６とこれに嵌装される上記ニードル２との間に形成される狭隘なニードル嵌挿隙間１７の壁面におけるスラッジの付着を可及的に防止することをその主たる目的としたものであって、圧縮機（図示省略）の運転及び運転停止に伴う上記冷媒流路９側の冷媒圧力の上昇あるいは降下に対応して、該冷媒流路９と上記ケース３側の内部空間３０との間を冷媒が流れる場合において、上記ニードル嵌挿隙間１７を流れる冷媒量を低下させることで該ニードル嵌挿隙間１７の壁面へのスラッジの付着を可及的に抑制するものである。
【００５３】
このための具体的手段として、この実施形態の電動膨張弁Ｚ１においては、本願の請求項１に記載の発明を適用して、上記弁本体１の流路形成部１ａ部分に、上記ニードル嵌挿隙間１７を介することなく、上記冷媒流路９と上記ケース３側の第１空間部３１とを直接連通する冷媒流路４１（特許請求の範囲中の「冷媒流量低下手段Ｐ」に該当する）を適数個形成したものである。
【００５４】
かかる構成とすれば、上記冷媒流路９側と上記内部空間３０側との差圧によってこれら両者間を冷媒が流れる場合（即ち、圧縮機の運転開始時には上記冷媒流路９側から内部空間３０側に、また圧縮機の運転停止時には内部空間３０側から冷媒流路９側に、それぞれ流れる場合）、上記ニードル嵌挿隙間１７と上記各冷媒流路４１，４１，・・との間における通路抵抗は該各冷媒流路４１，４１，・・側の方が上記ニードル嵌挿隙間１７側よりも格段に小さいので、冷媒はその大部分が上記冷媒流路４１，４１，・・を通って流れ、その分だけ上記ニードル嵌挿隙間１７を通って流れる冷媒量が相対的に減少することになる。
【００５５】
この結果、上記ニードル嵌挿隙間１７側においては、ここを流れる冷媒量の相対的な低下により、例え冷媒とか冷凍機油としてスラッジ発生量が多くなるものを採用していたとしても、該ニードル嵌挿隙間１７を流れる冷媒量の低下分だけ、該ニードル嵌挿隙間１７の壁面へのスラッジ付着量が減少せしめられることになる。
【００５６】
従って、上記ニードル嵌挿隙間１７の壁面への高粘度のスラッジの付着に起因して上記ニードル２の作動が阻害されることが可及的に防止され、該ニードル２の適正な作動が確保されることで、例えば圧縮機における異常な液圧縮あるいは過熱が未然に防止され、上記電動膨張弁Ｚ１を備えた冷凍装置の作動上の信頼性が高められることになる。
【００５７】
尚、上記冷媒流路４１は、その通路面積が大きいことから、ここへのスラッジ付着はほとんど生じない。また、この実施形態においては、上記各冷媒流路４１，４１，・・が、従来構造の電動膨張弁Ｚ０における均圧孔１８として同時に機能し得ることから、該均圧孔１８は設けていない。
【００５８】
第２の実施形態
図２には、本願発明の第２の実施形態にかかる電動膨張弁Ｚ２を示している。この電動膨張弁Ｚ２は、上記第１の実施形態にかかる電動膨張弁Ｚ１と同様に、上記ニードル嵌挿隙間１７の壁面へのスラッジの付着による上記ニードル２の作動不良の発生を防止することを目的とした構造をもつものである。
【００５９】
即ち、この実施形態の電動膨張弁Ｚ２は、
（ａ）上記弁本体１の構造に関しては、上記第１の実施形態においては該弁本体１を流路形成部１ａと肩部１ｂとネジ形成部１ｃとを一体的に備えた構造としていたのに対し、この実施形態では該弁本体１を、上記流路形成部１ａと肩部１ｂのみを備えた基部１Ａと、上記ネジ形成部１ｃに対応するネジ形成部材８で構成される副部１Ｂとからなる結合構造とし、
（ｂ）上記基部１Ａと上記副部１Ｂとに跨がって形成される上記ニードル嵌挿孔１６に関しては、該ニードル嵌挿孔１６を、上記基部１Ａ側に位置する大径孔部１６Ａと上記副部１Ｂ側に位置する小径孔部１６Ｂとで構成し、且つ該小径孔部１６Ｂはこれを上記ニードル２を摺動自在に支持し得るように該ニードル２の外径に近似した径寸法に設定し該ニードル２の外周面との隙間を上記ニードル嵌挿隙間１７とする一方、上記大径孔部１６Ａは上記小径孔部１６Ｂよりも大きな径寸法に設定し上記ニードル２の外周面との隙間を上記ニードル嵌挿隙間１７よりも隙間寸法の大きい環状隙間２４とし、
（ｃ）さらに、上記基部１Ａには、上記環状隙間２４と上記第１空間部３１とを連通する均圧孔１８を複数個形成した、
ことを構造上の特徴としている。
【００６０】
この実施形態の電動膨張弁Ｚ２では、上記（ａ）〜（ｃ）の如き特有の構造を採用することで、次のような作用効果が得られる。
【００６１】
先ず、上記冷媒流路９側と上記内部空間３０側との差圧によってこれら両者間を冷媒が流れる場合、上記副部１Ｂ側の上記ニードル嵌挿隙間１７と上記基部１Ａ側の上記環状隙間２４との間における通路抵抗は該環状隙間２４側の方が上記ニードル嵌挿隙間１７側よりも格段に小さく、またこの環状隙間２４に臨んで上記均圧孔１８が形成されているので、例えば上記冷媒流路９側から上記内部空間３０側へ冷媒が流れる場合についてみれば、上記冷媒流路９側から上記環状隙間２４側に流入した冷媒は、該環状隙間２４から直接上記均圧孔１８を介して上記第１空間部３１側に流れ、通路抵抗の大きい上記ニードル嵌挿隙間１７側の冷媒量は相対的に低下することになる。
【００６２】
この結果、上記ニードル嵌挿隙間１７側においては、ここを流れる冷媒量の相対的な低下により、例え冷媒とか冷凍機油としてスラッジ発生量が多くなるものを採用していたとしても、該ニードル嵌挿隙間１７を流れる冷媒量の低下分だけ、該ニードル嵌挿隙間１７の壁面へのスラッジ付着量が減少せしめられる。従って、上記ニードル嵌挿隙間１７の壁面への高粘度のスラッジの付着に起因して上記ニードル２の作動が阻害されることが可及的に防止され、該ニードル２の適正な作動が確保されることで、例えば圧縮機における異常な液圧縮あるいは過熱が未然に防止され、上記電動膨張弁Ｚ２を備えた冷凍装置の作動上の信頼性が高められることになる。
【００６３】
また、この場合、上記ニードル２は、上記ニードル嵌挿孔１６のうち、上記副部１Ｂを構成する上記ネジ形成部材８側の小径孔部１６Ｂによって支持されていることで、その軸心の保持が確実ならしめられ、該ニードル２による冷媒流量の制御が高い信頼性をもって行われることになる。
【００６４】
さらに、この実施形態の電動膨張弁Ｚ２においては、上記弁本体１を、上記冷媒流路９を備えた基部１Ａと該基部１Ａとは別体の副部１Ｂとで構成しているので、例えば、上記弁本体１を一体構成とする場合に比して、上記各孔部の加工が容易であり、それだけ電動膨張弁Ｚ２の製造コストの低廉化が期待できる。
【００６５】
また、例えば、上記均圧孔１８を丸孔で構成し且つその内径を１．２ｍｍ以上に設定すれば、該均圧孔１８がスラッジの付着によって詰まりを生じることがほぼ確実に防止され、該均圧孔１８による均圧作用が良好に維持され、延いては電動膨張弁Ｚ２の適正な作動が確保されることになる。
【００６６】
尚、この実施形態の電動膨張弁Ｚ２では、上記環状隙間２４と均圧孔１８とで特許請求の範囲中の「冷媒流量低下手段Ｐ」が構成されている。
【００６７】
第３の実施形態
図３には、本願発明の第３の実施形態にかかる電動膨張弁Ｚ３を示している。この電動膨張弁Ｚ３は、上記第２の実施形態にかかる電動膨張弁Ｚ２をさらに発展させたもので、該電動膨張弁Ｚ２と同様の構造に加えて、上記環状隙間２４部分に次述のニードルガイド部材４２を装着した構造とされている。
【００６８】
上記ニードルガイド部材４２は、その内周を上記ニードル２を摺動自在に支持し得るような内径寸法をもつニードル嵌挿孔４２ａとする一方、該ニードル嵌挿孔４２ａの外周側には複数の冷媒流路４２ｂ，４２ｂ，・・を設けている。
【００６９】
このようなニードルガイド部材４２を備えた上記電動膨張弁Ｚ３においては、上記第２の実施形態にかかる電動膨張弁Ｚ２と同様の作用効果が得られるのに加えて、上記ニードルガイド部材４２を設けて、該ニードルガイド部材４２と上記ネジ形成部材８側の小径孔部１６Ｂの両者によって上記ニードル２を摺動自在に支持することで、該ニードル２の軸心の保持がより一層確実となり、電動膨張弁Ｚ３の作動上の信頼性がさらに高まるものである。
【００７０】
尚、この実施形態の電動膨張弁Ｚ３では、上記環状隙間２４と均圧孔１８とで特許請求の範囲中の「冷媒流量低下手段Ｐ」が構成されている。
【００７１】
第４の実施形態
図５には、本願発明の第４の実施形態にかかる電動膨張弁Ｚ４を示している。この電動膨張弁Ｚ４は、上記第３の実施形態にかかる電動膨張弁Ｚ３の変形例として位置付けられるものであって、該第３の実施形態にかかる電動膨張弁Ｚ３においては上記ニードルガイド部材４２を備えこれによって上記ニードル２の下部側を支持していたのに対して、該ニードル２の下部側の支持を上記基部１Ａ側において行うようにし、これによって上記ニードルガイド部材４２の装着を不要としたものである。
【００７２】
即ち、この電動膨張弁Ｚ４においては、上記基部１Ａから上記副部１Ｂに跨がって形成される上記ニードル嵌挿孔１６を、上記冷媒流路９寄りに位置して上記ニードル２の外径より僅かに大きい径寸法をもつ第１小径孔部１６Ｃと、該第１小径孔部１６Ｃよりも大径で且つ該第１小径孔部１６Ｃに連続するとともに上記均圧孔１８の一端が開口された大径孔部１６Ｄと、上記副部１Ｂを構成するネジ形成部材８側に設けられ且つ上記第１小径孔部１６Ｃと略同一の径寸法をもつ第２小径孔部１６Ｅとで構成している。また、この場合、上記第１小径孔部１６Ｃの軸方向長さを、上記大径孔部１６Ｄのそれよりも短くなるように設定している。そして、上記第１小径孔部１６Ｃと第２小径孔部１６Ｂの双方によって上記ニードル２を支持する。
【００７３】
このような構成とすることで、上記第３の実施形態の電動膨張弁Ｚ３の如き上記ニードルガイド部材４２を設けずとも該第３の実施形態の電動膨張弁Ｚ３と同様の作用効果が得られることは勿論のこと、これに加えて、上記該ニードルガイド部材４２が不要である分だけ製造コストの低廉化も期待できるものである。
【００７４】
即ち、この電動膨張弁Ｚ４においては、上記大径孔部１６Ｄに対応する上記環状隙間２４は、上記第１小径孔部１６Ｃに形成されるニードル嵌挿隙間２５及び上記第２小径孔部１６Ｅに対応する上記ニードル嵌挿隙間１７よりもその通路面積が大きくその通路抵抗が小さくなっており、しかも該環状隙間２４部分には上記均圧孔１８が形成されていることから、上記冷媒流路９側から上記第１小径孔部１６Ｃを通って大径孔部１６Ｄ側に流れる冷媒は、主として通路抵抗の小さい上記大径孔部１６Ｄ側から上記均圧孔１８を介して上記内部空間３０側に流れ、相対的に上記ニードル嵌挿隙間１７側を流れる冷媒の流量は減少することになる。
【００７５】
この結果、上記ニードル嵌挿隙間１７側におけるスラッジの付着が可及的に抑制される。また、上記第１の小径孔部１６Ｃに対応するニードル嵌挿隙間２５部分も、冷媒が流れるものの、その長さが上記大径孔部１６Ｄのそれに比して短いことからこの部分へのスラッジの付着量は少ない。これらの相乗的効果として、付着スラッジによる上記ニードル２の作動阻害が可及的に防止され、その適正な作動が確保されるものである。
【００７６】
尚、この実施形態の電動膨張弁Ｚ４においては、上記環状隙間２４と上記均圧孔１８とで特許請求の範囲中の「冷媒流量低下手段Ｐ」が構成されている。
【００７７】
第５及び第６の実施形態
図６は本願発明の第５の実施形態にかかる電動膨張弁Ｚ５が、また図７には本願発明の第６実施形態にかかる電動膨張弁Ｚ６が、それぞれ示されている。これら各実施形態の電動膨張弁Ｚ５，Ｚ６は、上記各実施形態の電動膨張弁Ｚ１〜Ｚ４と同様に、上記ニードル嵌挿隙間１７部分におけるスラッジの付着を防止することを目的とするものであるが、これを実現するための具体例な構造は上記各電動膨張弁Ｚ１〜Ｚ４とは異なっている。
【００７８】
即ち、この第５及び第６の実施形態にかかる電動膨張弁Ｚ５，Ｚ６においては、図８に示した従来の電動膨張弁Ｚ０の構造を基本とし、その上で、上記ニードル２の摺動軸部２ａの外周面に、螺旋状に延びる溝４３（電動膨張弁Ｚ５の場合）あるいはニードル２の軸方向に延びる複数本の溝４４，４４，・・（電動膨張弁Ｚ６の場合）を形成したものである。
【００７９】
かかる構造によれば、上記冷媒流路９と上記内部空間３０との間を冷媒が流れる冷媒は上記ニードル嵌挿隙間１７を通るが、その場合、該ニードル嵌挿隙間１７に臨む上記ニードル２の外周面に上記溝４３又は溝４４が形成されていることで、該ニードル嵌挿隙間１７はこれら各溝４３，４４に臨む部位においては、それ以外の部位に比して、その通路面積が大きくなっている。このため、上記ニードル嵌挿隙間１７を通って流れる冷媒は、主として上記各溝４３，４４に対応する通路面積の大きい部位を通って流れ、該各溝４３，４４に対応する部位以外の部分における冷媒流量は相対的に減少することになる。そして、上記各溝４３，４４に対応する部位ではその通路面積が大きいことから、ここへのスラッジの付着はほとんどなく、また該各溝４３，４４に対応する部位以外の部位においてもここを流れる冷媒量が少ないことから、その隙間が狭隘であったとしてもここへのスラッジの付着は極めて少なく維持される。
【００８０】
この結果、例え冷媒とか冷凍機油としてスラッジ発生量が多くなるものを採用していたとしても、上記ニードル嵌挿隙間１７の狭隘な隙間部分におけるスラッジ付着が可及的に防止され、上記ニードル２の適正な作動が確保されることで、例えば圧縮機における異常な液圧縮あるいは過熱が未然に防止され、上記電動膨張弁Ｚ５，Ｚ６を備えた冷凍装置の作動上の信頼性が高められることになる。
【００８１】
尚、第５の実施形態における電動膨張弁Ｚ５では、上記溝４３が特許請求の範囲中の「冷媒流量低下手段Ｐ」に該当し、また第６の実施形態における電動膨張弁Ｚ６では、上記溝４４が特許請求の範囲中の「冷媒流量低下手段Ｐ」に該当する。
【００８２】
また、上記溝４３，４４は、上記第５、第６の実施形態のように、上記ニードル２の外周面に設ける構成に限定されるものではなく、例えばこれを上記弁本体１のニードル嵌挿孔１６の内周面に形成したり、あるいは上記ニードル２の外周面と上記ニードル嵌挿孔１６の内周面の双方に形成することもできることは勿論である。
【００８３】
その他
上記各実施形態の電動膨張弁Ｚ１〜Ｚ６は、電動膨張弁においてスラッジ付着が懸念される狭隘な隙間（即ち、上記ニードル嵌挿隙間１７と上記外周隙間２１及び上記噛合隙間２３）のそれぞれにおけるスラッジ付着を個別に防止する具体例を示しているが、電動膨張弁全体としてスラッジの付着による不具合をより確実に防止するという観点からは、上記各実施形態の電動膨張弁Ｚ１〜Ｚ１２にそれぞれ示した構成を適宜組み合わせた複合的な構造として実施することができることは勿論である。
【図面の簡単な説明】
【図１】  本願発明にかかる冷凍回路用電動ニードル弁の第１の実施形態としての電動膨張弁の構造を示す要部断面図である。
【図２】  本願発明にかかる冷凍回路用電動ニードル弁の第２の実施形態としての電動膨張弁の構造を示す要部断面図である。
【図３】  本願発明にかかる冷凍回路用電動ニードル弁の第３の実施形態としての電動膨張弁の構造を示す要部断面図である。
【図４】  図３のＩＶ−ＩＶ拡大断面図である。
【図５】  本願発明にかかる冷凍回路用電動ニードル弁の第４の実施形態としての電動膨張弁の構造を示す要部断面図である。
【図６】  本願発明にかかる冷凍回路用電動ニードル弁の第５の実施形態としての電動膨張弁の構造を示す要部断面図である。
【図７】  本願発明にかかる冷凍回路用電動ニードル弁の第６の実施形態としての電動膨張弁の構造を示す要部断面図である。
【図８】  従来一般的な冷凍回路用電動膨張弁の構造を示す要部断面図である。
【符号の説明】
１は弁本体、１Ａは基部、１Ｂは副部、２はニードル、３はケース、４は永久磁石、５は電磁石、６はスペーサ、７はネジ形成部材、８はネジ形成部材、９は冷媒流路、１０はロータ部、１１は冷媒導入部、１２は冷媒導出部、１３は冷媒導入管、１４は冷媒導出管、１５は弁座部、１６はニードル嵌挿孔、１７はニードル嵌挿隙間、１８は均圧孔、１９はニードル嵌挿孔、２０は弁頭部、２１は外周隙間、２２は内周隙間、２３は噛合隙間、２４は環状隙間、２５はニードル嵌挿隙間、３０は内部空間、３１は第１空間部、３２は第２空間部、３３は開口、３４は止着部材、３５はバネ、４１は冷媒流路、４２はニードルガイド部材、４３及び４４は溝、４５は連通孔、４６〜５０は冷媒流路、５１はワッシャ、５２はストッパー、Ｐ〜Ｒは冷媒流量低下手段、Ｘは電動手段、Ｚ１〜Ｚ１２は電動膨張弁である。
【図１】
0003742853.tif 000002
【図２】
0003742853.tif 000003
【図３】
0003742853.tif 000004
【図４】
0003742853.tif 000005
【図５】
0003742853.tif 000006
【図６】
0003742853.tif 000007
【図７】
0003742853.tif 000008
【図８】
0003742853.tif 000009